(57)【特許請求の範囲】
【請求項１】
凸曲面状の正面板と凸曲面状の背面板が左右両側の側端部で接合された筒状の第一胴部と、前記第一胴部の一方の端が開口された挿入口と、前記第一胴部の他方の端が閉塞された天部と、を備えた第一ケースと、
凸曲面状の正面板と凸曲面状の背面板が左右両側の側端部で接合された筒状の第二胴部と、前記第二胴部の一方の端が開口された取り出し口と、前記第二胴部の他方の端が閉塞された底部と、を備えた第二ケースと、
を備え、
前記第一ケースが前記挿入口の側から前記第二ケースの前記取り出し口にスライドして挿入された包装容器であって、
前記第一ケースまたは前記第二ケースを引出し方向にスライド移動させたとき、スライド移動する前記第一ケースまたは前記第二ケースを停止させることが可能なロック手段を備え、
前記ロック手段が、
前記第二ケースが、前記第二胴部の前記取り出し口の端縁に延設され引出し方向に折り返されて前記第一ケースの前記第一胴部の外面に摺接した状態の折り返し片を備え、
前記第一ケースが、前記第一胴部の外面に係止片を備え、
前記第二ケースを引出し方向にスライド移動させたとき、前記折り返し片が前記係止片に係止される構成であり、
前記折り返し片が延設された前記取り出し口の端縁に切込を備え、前記係止片に前記切込に係合する凸部を備えており、
前記第一ケースの前記第一胴部を前記第二ケースの前記第二胴部の周方向に回動させることにより前記第一ケースまたは前記第二ケースを停止させるロック手段を解除する解除手段を備えていることを特徴とする包装容器。
【請求項２】
前記ロック手段を解除する前記解除手段が、
前記第一ケースの前記第一胴部を前記第二ケースの前記第二胴部の周方向に回動させたとき、前記折り返し片と前記係止片の係止が解除される構成である、
ことを特徴とする請求項１に記載の包装容器。
【請求項３】
前記係止片が前記第一ケースの前記側端部より前記第一胴部の周方向に延設されていることを特徴とする請求項２に記載の包装容器。
【発明の詳細な説明】
【技術分野】
【０００１】
本発明は、医薬品等を収容するための包装容器に関する。詳しくは、特に子供が簡単に操作して収容物を取り出すことができない手段を施した包装容器に関する。
【背景技術】
【０００２】
近年、子供による医薬品等の誤飲やライター等の誤作動による事故が発生しているために子供が簡単に操作して開けられない容器や簡単に操作できないライターの安全対策としてチャイルドレジスタンス（以下、ＣＲと呼称する。）が導入され、ＣＲは子供が簡単に操作できないという概念のもと、欧米で法規制を含めた取り組みが行われ、国内でも規格が進められている。子供が使えないようにする「チャイルドロック」に対し、ＣＲは規定の時間内に一定割合の子供が操作できなくするものである。
【０００３】
ＣＲ容器としては、例えば、医薬品の瓶容器において、子供が勝手に蓋を開けて中の薬品を飲んだりしないように蓋の上部を押しながらでないと蓋を回して開けることができない仕組みを持った製品が知られている。また、プレススルーパッケージ（ＰＴＰ）としては、内容物を収容するための収容部が形成された容器用シートと、収容部を覆う蓋材シートからなり、蓋材シートがアルミニウム箔層を含む基材と剥離可能な保護層（カバーフィルム）が積層されており、カバーフィルムを剥離しないと内容物を取り出すことが困難なＰＴＰ包装体が提案されている（例えば、特許文献１参照）。一方、被せ蓋方式の包装容器にもＣＲ機能を付与したいとの要望があり、ＣＲ機能を備えた包装容器の開発が待望されている。
【先行技術文献】
【特許文献】
【０００４】
【特許文献１】特許第４１５４６０３号公報
【発明の概要】
【発明が解決しようとする課題】
【０００５】
そこで本発明は、上記問題を解決すべくなされたものであり、その目的とするところは子供が簡単に操作して収容物を取り出すことができないチャイルドレジスタンス（ＣＲ）機能を付与した医薬品等を収容するための包装容器を提供することにある。
【課題を解決するための手段】
【０００６】
本発明は、上記課題を達成するために、請求項１記載の本発明は、凸曲面状の正面板と凸曲面状の背面板が左右両側の側端部で接合された筒状の第一胴部と、前記第一胴部の一方の端が開口された挿入口と、前記第一胴部の他方の端が閉塞された天部と、を備えた第一ケースと、凸曲面状の正面板と凸曲面状の背面板が左右両側の側端部で接合された筒状の第二胴部と、前記第二胴部の一方の端が開口された取り出し口と、前記第二胴部の他方の端が閉塞された底部と、を備えた第二ケースと、を備え、前記第一ケースが前記挿入口の側から前記第二ケースの前記取り出し口にスライドして挿入された包装容器であって、前記第一ケースまたは前記第二ケースを引出し方向にスライド移動させたとき、スライド移動する前記第一ケースまたは前記第二ケースを停止させることが可能なロック手段を備え、前記ロック手段が、前記第二ケースが、前記第二胴部の前記取り出し口の端縁に延設され引出し方向に折り返されて前記第一ケースの前記第一胴部の外面に摺接した状態の折り返し片を備え、前記第一ケースが、前記第一胴部の外面に係止片を備え、前記第二ケースを引出し方向にスライド移動させたとき、前記折り返し片が前記係止片に係止される構成であり、前記折り返し片が延設された前記取り出し口の端縁に切込を備え、前記係止片に前記切込に係合する凸部を備えており、前記第一ケースの前記第一胴部を前記第二ケースの前記第二胴部の周方向に回動させることにより前記第一ケースまたは前記第二ケースを停止させるロック手段を解除する解除手段を備えていることを特徴とする包装容器である。
【０００７】
また、請求項２記載の本発明は、請求項１に記載の包装容器において、前記ロック手段を解除する前記解除手段が、前記第一ケースの前記第一胴部を前記第二ケースの前記第二胴部の周方向に回動させたとき、前記折り返し片と前記係止片の係止が解除される構成であることを特徴とするものである。
【０００８】
また、請求項３記載の本発明は、請求項１または請求項２に記載の包装容器において、前記係止片が前記第一ケースの前記側端部より前記第一胴部の周方向に延設されていることを特徴とするものである。
【発明の効果】
【００１０】
本発明の包装容器は、引出し方向にスライド移動させたとき、スライド移動する第一ケースまたは第二ケースを停止させることが可能なロック手段を備え、第一ケースの第一胴部を第二ケースの第二胴部の周方向に回動させることにより第二ケースを停止させるロック手段を解除する解除手段を備える構成とすることにより、子供が簡単に操作して収容物を取り出すことができないチャイルドレジスタンス（ＣＲ）機能を付与することができる。
【図面の簡単な説明】
【００１１】
【図１】本発明に係る包装容器の一実施形態を示す斜視図である。
【図２】本発明に係る包装容器の一実施形態を示す正面図、平面図、底面図である。
【図３】本発明に係る包装容器の一実施形態の第一ケースを正面板の側から見た説明図である。
【図４】本発明に係る包装容器の一実施形態の第二ケースを背面板の側から見た説明図である。
【図５】図２のＡ−Ａ線、及びＢ−Ｂ線断面図である。
【図６】本発明に係る第一ケースのブランクの平面図である。
【図７】本発明に係る第二ケースのブランクの平面図である。
【図８】本発明に係る包装容器のロック手段の実施例の説明図である。
【発明を実施するための形態】
【００１２】
上記の本発明について、図面等を用いて以下に詳述する。
図１は本発明に係る包装容器の一実施形態を示す斜視図、図２は本発明に係る包装容器の一実施形態を示す正面図、平面図、底面図、図３は本発明に係る包装容器の一実施形態の第一ケースを正面板の側から見た説明図、図４は本発明に係る包装容器の一実施形態の第二ケースを背面板の側から見た説明図、図５は図２のＡ−Ａ線、及びＢ−Ｂ線断面図、図６は本発明に係る第一ケースのブランクの平面図、図７は本発明に係る第二ケースのブランクの平面図、図８は本発明に係る包装容器のロック手段の実施例の説明図であり、図中の１は包装容器、２は天部、３は第一胴部、４は第一ケースの側端部、５は挿入口、６は底部、６ａは水平面部、６ｂは傾斜面部、７は第二胴部、８は第二ケースの側端部、９は取り出し口、１０は第一ケース、１０Ｂは第一ケースのブランク、１１は正面板、１１ａは天部外板、１２は背面板、１２ａは天部内板、１３は第一貼着片、１４は係止片、１５は凸部、２０は第二ケース、２０Ｂは第二ケースのブランク、２１は正面板、２２は底部連結板、２２ａは底折り返し部、２２ｂは底補助部、２３は載置板、２４は背面板、２５は第二貼着片、２６は折り返し片、２７は切込、ａ，ｂ，ｃ，ｄ，ｅ，ｆ，ｇ，ｈ，ｉは罫線、Ｒは遊び範囲、Ｓは共有領域をそれぞれ示す。
【００１３】
図１は本発明に係る包装容器の一実施形態を示す斜視図、図２は本発明に係る包装容器の一実施形態を示す正面図、平面図、底面図であり、本発明の包装容器１は、筒状の第一胴部３と、第一胴部３の一方の端が開口された挿入口５と、第一胴部３の他方の端が閉塞された天部２と、を備えた第一ケース１０と、筒状の第二胴部７と、第二胴部７の一方の端が開口された取り出し口９と、第二胴部７の他方の端が閉塞された底部６と、を備えた第二ケース２０と、を備え、第一ケース１０が挿入口５の側から第二ケース２０の取り出し口９にスライドして挿入されたものである。一実施形態では第一ケース１０が第二ケース２０の中に挿入され第一胴部３の外面と第二胴部７の内面が摺動可能な例を示しているがこれに限定されるものではない。
【００１４】
図２に示すように第二ケース２０の底部６は載置板２３を備え、例えば、収容物が薬液入り容器の場合、図示しないが薬液入り容器が載置板２３の上に載置され、底部６は上げ底に形成されている。底部６は上げ底構造に限定されるものではないが、収容物が目立ちやすく店頭での商品の陳列効果が向上するので上げ底構造が好ましい。
【００１５】
図３は本発明に係る包装容器１の第一ケース１０を正面板１１の側から見た説明図であり、図４は本発明に係る包装容器１の第二ケース２０を背面板２４の側から見た説明図であり、図５の（イ）は図２のＡ−Ａ線断面図、（ロ）は図２のＢ−Ｂ線断面図であって、拡大して示したものである。図３、図５（ロ）に示すように第一ケース１０は凸曲面状の正面板１１と凸曲面状の背面板１２が左右方向の両側の側端部４、４で接合された筒状の第一胴部３と、第一胴部３の一方の端が開口された挿入口５と、第一胴部３の他方の端が閉塞された天部２とを備えている。図２（イ）、（ロ）に示すように天部２は平面視紡錘形状で、且つ、挿入口５側に凹んだ円弧状となっている。第一ケースのいずれか一方の側端部４に係止片１４が設けられ、係止片１４が第一ケース１０の側端部４より第一胴部３の周方向に延設され、係止片１４が第一胴部３の正面板１１の外面に重なった状態で形成されている。係止片１４は略台形状で一組の平行な対辺である上底と下底と、もう一組の脚からなり、一方の脚が上底および下底となす内角が略直角の形状であり、下底が一方の側端部４と接し、上底が他方の側端部４の側であり、一方の脚は天部２の側であり、他方の脚である斜辺は挿入口５側であり、下底の下端は一方の側端部４と挿入口５の接点とほぼ接している。天部２側の一方の脚には、天部２側に凸状の凸部１５を備えている。また、挿入口５の輪郭は側端部４、４の端縁との接点より天部２側に凹んだ円弧状であり、挿入口５側から見た平面形状は紡錘形である。
【００１６】
図４、図５（ロ）に示すように第二ケース２０は凸曲面状の正面板２１と凸曲面状の背面板２４が左右方向の両側の側端部８、８で接合された筒状の第二胴部７と、第二胴部７の一方の端が開口された取り出し口９と、第二胴部７の他方の端が閉塞された底部６とを備えている。取り出し口９の正面板２１側には取り出し口９の端縁に延設され、底部６側に折り返された折り返し片２６を備えている。また、折り返し片２６が延設された取り出し口９の端縁に切込２７が形成されている。取り出し口９は平面視紡錘形状である。底部６は、図５（イ）に示すように底部連結板２２と載置板２３で構成され、上げ底構造を有している。
【００１７】
第一ケース１０は挿入口５の側から第二ケース２０の取り出し口９側にスライドして挿入される。第一ケース１０の第一胴部３の外面は第二ケース２０の第二胴部７の内面に摺接する。第二ケース２０の折り返し片２６は挿入初期、先ず、係止片１４の外面に摺動しながらスライドし、係止片１４が通り過ぎると第一ケース１０の第一胴部３の正面板１１と摺接し、第一ケース１０の側端部４の挿入口５側の先端が第二ケース２０の底部６に当接すると挿入操作が完了し、内部に収容された収容物が載置板２３に載置される。また、第一ケース１０の係止片１４は、第二ケース２０の正面板２１の内面にスライド可能に付勢された状態で接している。
【００１８】
第一ケース１０または第二ケース２０を引出し方向にスライド移動させたとき、スライド移動する第一ケース１０または第二ケース２０を停止させることが可能なロック手段を備えていること、第一ケース１０の第一胴部３を第二ケース２０の第二胴部７の周方向に回動させることにより第一ケース１０または第二ケース２０のスライド移動を停止させるロック手段を解除する解除手段を備えていることを特徴とする。ロック手段として、第一ケース１０が係止片１４を備え、第二ケース２０が折り返し片２６を備えることが好ましい手段であり、係止片１４が凸部１５を備え、折り返し片２６が延設された取り出し口９の端縁に切込２７を備え、第一ケース１０または第二ケース２０を引出し方向にスライド移動させたとき凸部１５が切込２７に係合する構成がより好ましい。
【００１９】
図６は本発明に係る第一ケース１０のブランク１０Ｂの平面図であり、図６に示すようにブランク１０Ｂは罫線ａ，ｂを介して正面板１１、背面板１２、第一貼着片１３が連設されており、第一貼着片１３の下部に罫線ｂの下方より外方に延びる略台形状の係止片１４が延設されている。略台形状の係止片１４は、一組の平行な対辺のうち下底が罫線ｂの下端を起点とする罫線ｂ上にあり、上底が第一貼着片１３の左端より外方にあり、もう一組の対辺である脚の上方の辺が上底および下底となす角度が略直角であり、下方の辺が斜辺とされ、斜辺は下底との接点より上方に上る傾斜となっている。脚の上方の辺には、上部に凸状となった凸部１５を備えている。係止片１４の右側の第一貼着片１３の縦方向の外郭線の想定延長線と罫線ｂとで区画された領域は第一貼着片１３の下部領域との共有領域Ｓとされている。正面板１１及び背面板１２の上部には罫線ｃ及び罫線ｄを介して紡錘形の天部外板１１ａ及び天部内板１２ａがそれぞれ連設されている。
【００２０】
図７は本発明に係る第二ケース２０のブランク２０Ｂの平面図であり、図７に示すようにブランク２０Ｂは正面板２１の下部に罫線ｅ，ｆ，ｇを介して底部連結板２２、載置板２３、背面板２４が連設され、正面板２１の上部に罫線ｊを介して折り返し片２６が連設され、正面板２１の左右に罫線ｈ，ｉを介して第二貼着片２５がそれぞれ連設されている。正面板２１と折り返し片２６を区画する罫線ｊの略中央には折り返し片２６に少し侵入するコの字状の切込２７が形成されている。
【００２１】
底部連結板２２は、中央に底折り返し部２２ａと、底折り返し部２２ａの左右両側に底補助部２２ｂが左右対称にそれぞれ形成されている。載置板２３は略六角形状をしており、左右両側に位置する内角が鋭角となっている。底部６は底部連結板２２と載置板２３で構成される。底部６の構成は上げ底構造の一例を示したものであり、これに限定されるものではない。また、上げ底構造でなくてもよいが、前記した理由により上げ底構造がより好ましい形態である。
【００２２】
ブランク１０Ｂ、２０Ｂの基材としては、合成樹脂シート、合成紙、板紙等が使用できるが、繰り返し利用するための耐久性、ロック手段、ロックを解除する解除手段を達成しやすくする復元性を備えた合成樹脂シートが好ましい。合成樹脂シートとしては、ポリエステル系、ポリエチレンやポリプロピレン等のポリオレフィン系、ナイロン系、アクリル系、ポリスチレン系、ポリ乳酸系等が使用できる。また、合成樹脂シートの厚さとしては、通常、２００μｍ〜５００μｍである。合成樹脂シートは無地でもよいが、通常、印刷が施される。
【００２３】
前記基材を用いて、必要に応じて、大きなサイズの合成樹脂シートの片面に多面付けで印刷し、印刷された合成樹脂シートを断裁及び／又は打ち抜き工程を経て、罫線、切込等を施した所定の寸法のブランク１０Ｂ、２０Ｂを作製する。
【００２４】
次に、第一ケース１０、第二ケース２０の組み立て方について説明する。
第一ケース１０は、図６に示すブランク１０Ｂを用いて、ブランク１０Ｂを罫線ａ，ｂで折り曲げて第一貼着片１３の内面を正面板１１の外面に重ね合わせ接着剤等で貼着する。係止片１４と第一貼着片１３との共有領域Ｓも貼着する方が好ましい。そして、天部内板１２ａ、天部外板１１ａを内側に折り曲げ、天部内板１２ａの外面に天部外板１１ａの内面を重ねて接着剤等で貼着し閉塞することにより天部２を形成する。この操作により正面板１１及び背面板１２は外側に凸状の凸曲面を形成し、図３に示す筒状の第一胴部３と、図２（イ）の正面図、図２（ロ）の平面図に示すように挿入口５側に凹状で且つ、平面視紡錘形状の天部２を備えた第一ケース１０が完成する。
【００２５】
第二ケース２０は、図７に示すブランク２０Ｂを用いて、ブランク２０Ｂを罫線ｅで山折りし、底部連結板２２の内面を正面板２１の内面に重ね、罫線ｆで谷折りし、載置板２３を水平に配置し、罫線ｇで山折りする。つぎに背面板２４の左右の両端を罫線ｈ，ｉに位置合わせして重ね、第二貼着片２５を山折りして第二貼着片２５の内面を背面板２４の外面に重ね合わせ接着剤等で貼着する。そして、底部連結板２２の底補助部２２ｂの内面を載置板２３の外面に重ね、底部６を形成し、つぎに罫線ｊで山折りして折り返し片２６を内側に折り曲げ、正面板２１の内面と折り返し片２６の内面を対向させる。この操作により底部６は、図２（イ）の正面図、図２（ハ）の底面図に示すように略六角形状の載置板２３の中央部分に略四角形の水平面部６ａと、水平面部６ａ以外の載置板２３の左右に傾斜面部６ｂが形成され、正面板２１に折り重ねられた底折り返し部２２ａと左右の傾斜面部６ｂにより上げ底が完成する。底補助部２２ｂは傾斜面部６ｂの載置板２３の外面に重ねられ底部６は補強される。包装容器１を台等の上に縦置きしたとき、第二ケース２０の下端部である、正面板２１と底部連結板２２の境界及び左右の第二貼着片２５（図４参照）の下端が台等に接地するので包装容器１の縦置き状態を安定させることができる。なお、水平面部６ａは収容物を包装容器１に装填したとき、載置台となって収容物を支持するものである。さらにこの操作により、同時に正面板２１及び背面板２４は外側に凸状の凸曲面を形成し、図４に示す筒状の第二胴部７と、平面視紡錘形状の取り出し口９を備えた第二ケース２０が完成する。
【００２６】
第一ケース１０を挿入口５の側と第二ケース２０の取り出し口９の側を対向させて配置し、第一ケース１０の第一胴部３の外面を第二ケース２０の第二胴部７の内面に摺動させながら第一ケース１０を第二ケース２０の中にスライドして挿入し、第一ケース１０の側端部４の挿入口５側の先端が第二ケース２０の底部６に当接すると挿入操作が完了し図１に示す包装容器１が完成する。また、図２（イ）に示すように折り返された折り返し片２６の下端と係止片１４乃至凸部１５の上端との間に間隔をあけて遊び範囲Ｒを設けることが好ましく、少なくとも０ｍｍ以上設ける。
【００２７】
一実施形態では、第一ケース１０を第二ケース２０の中に挿入する構成を示したが、第二ケース２０を第一ケース１０の中に挿入する構成とすることもできる。ただし、この場合には、係止片１４は第一ケース１０の第一胴部３の内面に設け、折り返し片２６は第二ケース２０の第二胴部７の外面に対向するように外側に折り返して設ける。
【００２８】
つぎに図１、図８を参照しながら本発明の包装容器１のロック手段と、ロック手段を解除する解除手段について説明する。
ロック手段は、第一ケース１０の係止片１４と、第二ケース２０の折り返し片２６を備えた構成からなり、第一ケース１０または第二ケース２０を引出し方向にスライド移動させたとき、第二ケース２０の折り返し片２６が第一ケース１０の係止片１４に係止される構造を備える。
包装容器１の第一ケース１０または第二ケース２０を引出し方向（上下方向）にスライドさせたとき、第一ケース１０の係止片１４はシート基材の有する復元性で外側に反る状態で第二ケース２０の内面に付勢された状態で摺接しながら摺動し、第二ケース２０の折り返し片２６はシート基材の有する復元性で正面板２１と折り返し片２６との間に隙間が発生した状態で第一ケース１０の外面に摺接しながら摺動し、遊び範囲Ｒを通過すると係止片１４は正面板２１と折り返し片２６との間に形成された隙間に案内され、凸部１５が切込２７に係合し、スライド移動する第一ケース１０または第二ケース２０が停止するために包装容器１を開口することができない。凸部１５は必須ではないが、確実にロックされるためにより好ましい形態である。
【００２９】
解除手段は、第一ケース１０の第一胴部３を第二ケース２０の第二胴部７の周方向に回動させたとき、折り返し片２６と係止片１４の係止が解除される構成を備える。
包装容器１の第一ケース１０または第二ケース２０を引出し方向（上下方向）に少し引出し遊び範囲Ｒにおいて第一ケース１０の第一胴部３を第二ケース２０の第二胴部７の周方向に回動させ、係止片１４の左端が折り返し片２６の右端を通過すると第一ケース１０または第二ケース２０を引出し方向にスライドさせると折り返し片２６と係止片１４が係合することがなく、係止が解除された状態となるので包装容器１を開口することができる。
このような構成とすることにより子供が簡単に操作して包装容器１を開口して収容された収容物を取り出すことができず、優れたチャイルドレジスタンス（ＣＲ）機能を付与した包装容器１とすることができる。
【符号の説明】
【００３０】
１                      包装容器
２                      天部
３                      第一胴部
４                      側端部
５                      挿入口
６                      底部
６ａ                    水平面部
６ｂ                    傾斜面部
７                      第二胴部
８                      側端部
９                      取り出し口
１０                    第一ケース
１０Ｂ                  ブランク
１１                    正面板
１１ａ                  天部外板
１２                    背面板
１２ａ                  天部内板
１３                    第一貼着片
１４                    係止片
１５                    凸部
２０                    第二ケース
２０Ｂ                  ブランク
２１                    正面板
２２                    底部連結板
２２ａ                  底折り返し部
２２ｂ                  底補助部
２３                    載置板
２４                    背面板
２５                    第二貼着片
２６                    折り返し片
２７                    切込
ａ，ｂ，ｃ，ｄ          罫線
ｅ，ｆ，ｇ，ｈ，ｉ      罫線
Ｒ                      遊び範囲
Ｓ                      共有領域
【図１】
0006772543.tif 000002
【図２】
0006772543.tif 000003
【図３】
0006772543.tif 000004
【図４】
0006772543.tif 000005
【図５】
0006772543.tif 000006
【図６】
0006772543.tif 000007
【図７】
0006772543.tif 000008
【図８】
0006772543.tif 000009